(57)【特許請求の範囲】
【請求項１】
インターネット上の別のページ（以下、リンク先とも記す）にアクセスすることのできるページ上の文字やグラフィックス（以下、リンク部とも記す）が選択されると、選択されたリンク部に定義されているリンク先にアクセスする第１の機能を備えているＷＷＷ（World Wide Web）閲覧装置の操作システムにおいて、
ポインタを移動させるための第１の移動入力手段と、
ポイントされているリンク部を選択するための第１の選択入力手段と、
ポインタをリンク部のところにだけ移動させるように前記第１の移動入力手段を制御する第１のポインタ制御手段と、
該第１のポインタ制御手段を稼働させるか否かを選択するための稼働選択入力手段と、
該稼働選択入力手段からの情報に基づいて前記第１のポインタ制御手段の稼働を制御する第１の稼働制御手段と、
車速検出手段からの車速情報に基づいて、前記第１のポインタ制御手段を稼働させるか、又は前記第１のポインタ制御手段を稼働させずに前記第１の移動入力手段による入力を受け付けるかを切り替える第２の稼働制御手段とを備えていることを特徴とする操作システム。
【請求項２】
インターネット上のリンク先にアクセスすることのできるページ上のリンク部が選択されると、選択されたリンク部に定義されているリンク先にアクセスする第１の機能と、ページ上のリストボックスが選択されると、選択されたリストボックスのリストを表示し、かつ表示されたリスト中の項目が選択されると、選択された項目に定義されている内容に基づいた制御を行なう第２の機能と、を備えているＷＷＷ閲覧装置の操作システムにおいて、
ポインタを移動させるための第２の移動入力手段と、
ポイントされているリンク部、リストボックス、及びリスト中の項目を選択するための第２の選択入力手段と、
ポインタをリンク部及びリストボックスのところにだけ移動させるように前記第２の移動入力手段を制御する第２のポインタ制御手段と、
該第２のポインタ制御手段を稼働させるか否かを選択するための稼働選択入力手段と、
該稼働選択入力手段からの情報に基づいて前記第２のポインタ制御手段の稼働を制御する第１の稼働制御手段と、
車速検出手段からの車速情報に基づいて、前記第２のポインタ制御手段を稼働させるか、又は前記第２のポインタ制御手段を稼働させずに前記第２の移動入力手段による入力を受け付けるかを切り替える第２の稼働制御手段とを備えていることを特徴とする操作システム。
【発明の詳細な説明】
【０００１】
【発明の属する技術分野】
本発明はＷＷＷ閲覧装置の操作システムに関し、より詳細には、インターネットサービスの一つであるＷＷＷのホームページを閲覧する装置の操作システムに関し、例えば、基本ソフト（ＯＳ）としてマイクロソフト社製の「ウィンドウズ９５」を使用したパソコンに、ＷＷＷのホームページを閲覧するためのソフト（ブラウザ）であるマイクロソフト社製の「インターネット・エクスプローラ」が組み込まれた装置の操作システムに関する。
【０００２】
【従来の技術】
図１３は、従来のＷＷＷ閲覧装置１の要部を概略的に示したブロック図である。図中２は、装置の本体部、すなわち全体の制御機能を備えたパソコン等を示しており、本体部２には、ディスプレイ３、マウス４、及びモデム５が接続されている。モデム５は電話回線６に接続されており、電話のアナログデータとパソコンが扱うデジタルデータとを変換するためのものである。
【０００３】
図１３では、電話回線６を使用しているが、ＩＳＤＮ回線を使用することによってデジタルデータをそのまま回線に乗せることもできる。但し、その場合には、モデム５ではなく、ＴＡ（ターミナルアダプタ）が必要となる。
【０００４】
インターネットサービスの一つであるＷＷＷのホームページを見るためのＷＷＷ閲覧装置１を操作する場合、図１３に示したようにポインティングデバイスの一つであるマウス４を使用するのが一般的である。
【０００５】
例えば、インターネット上の別のページにアクセスすることのできるページ上の文字やグラフィックス、すなわちリンク部を選択する場合、マウス４の裏面に形成されているボール（図示せず）を動かすことによって、マウスポインタを所望のリンク部に移動させ、そしてマウス４のボタン４ａをクリックすることによって前記リンク部を選択している。
【０００６】
【発明が解決しようとする課題】
しかしながら、上記操作では表示の小さなマウスポインタを常に目で追いかけ、正確に所望のリンク部をポイントしなければならず、操作が大変困難になる場合があるといった問題がある。例えば、走行中の車両内で使用する場合には、ディスプレイの画面が小さく、なおかつ振動が生じることもあるので、操作は困難を極め、安全性の確保が難しくなるといった問題が生じる。
【０００７】
本発明は上記課題に鑑みなされたものであって、ＷＷＷ閲覧装置、すなわちインターネットサービスの一つであるＷＷＷのホームページを見るための装置の操作を簡単に行なうことのできる操作システムを提供することを目的としている。
【０００８】
【課題を解決するための手段及びその効果】
上記目的を達成するために本発明に係る操作システム（１）は、インターネット上の別のページ（リンク先）にアクセスすることのできるページ上の文字やグラフィックス（リンク部）が選択されると、選択されたリンク部に定義されているリンク先にアクセスする第１の機能を備えているＷＷＷ閲覧装置の操作システムにおいて、ポインタを移動させるための第１の移動入力手段と、ポイントされているリンク部を選択するための第１の選択入力手段と、ポインタをリンク部のところにだけ移動させるように前記第１の移動入力手段を制御する第１のポインタ制御手段と、該第１のポインタ制御手段を稼働させるか否かを選択するための稼働選択入力手段と、該稼働選択入力手段からの情報に基づいて前記第１のポインタ制御手段の稼働を制御する第１の稼働制御手段と、車速検出手段からの車速情報に基づいて、前記第１のポインタ制御手段を稼働させるか、又は前記第１のポインタ制御手段を稼働させずに前記第１の移動入力手段による入力を受け付けるかを切り替える第２の稼働制御手段とを備えていることを特徴としている。
【０００９】
上記操作システム（１）によれば、選択対象部、すなわちリンク部のところにだけ、ポインタがジャンプするように移動するので、関係のないところ（リンク部以外）にポインタが移動することがなく、使用者にとってポインタの認識が容易となり、使い勝手が良い。従って、画面の小さなディスプレイであり、振動が生じるような車両内で使用する場合であったとしても、簡単に操作を行なうことができる。
また、上記操作システム（１）によれば、選択対象部のところにだけジャンプするように移動していくポインタを操作するのか、あるいは従来のようにディスプレイの画面全体を自由に移動させることのできるマウスポインタを操作するのかを使用者が自由に選択することができる。
さらに、上記操作システム（１）によれば、選択対象部のところにだけジャンプするように移動していくポインタを操作するのか、あるいは従来のようにディスプレイの画面全体を自由に移動させることのできるマウスポインタを操作するのかを車速情報に基づいて自動的に切り替わるようにすることができるので、例えば、車両走行中には常に前者操作となるように設定しておくことが可能となる。
【００１０】
また、本発明に係る操作システム（２）は、インターネット上のリンク先にアクセスすることのできるページ上のリンク部が選択されると、選択されたリンク部に定義されているリンク先にアクセスする第１の機能と、ページ上のリストボックスが選択されると、選択されたリストボックスのリストを表示し、かつ表示されたリスト中の項目が選択されると、選択された項目に定義されている内容に基づいた制御を行なう第２の機能と、を備えているＷＷＷ閲覧装置の操作システムにおいて、ポインタを移動させるための第２の移動入力手段と、ポイントされているリンク部、リストボックス、及びリスト中の項目を選択するための第２の選択入力手段と、ポインタをリンク部及びリストボックスのところにだけ移動させるように前記第２の移動入力手段を制御する第２のポインタ制御手段と、該第２のポインタ制御手段を稼働させるか否かを選択するための稼働選択入力手段と、該稼働選択入力手段からの情報に基づいて前記第２のポインタ制御手段の稼働を制御する第１の稼働制御手段と、車速検出手段からの車速情報に基づいて、前記第２のポインタ制御手段を稼働させるか、又は前記第２のポインタ制御手段を稼働させずに前記第２の移動入力手段による入力を受け付けるかを切り替える第２の稼働制御手段とを備えていることを特徴としている。
【００１１】
上記操作システム（２）によれば、選択対象部、すなわちリンク部及びリストボックスのところにだけ、ポインタがジャンプするように移動するので、関係のないところ（リンク部及びリストボックス以外）にポインタが移動することがなく、使用者にとってポインタの認識が容易となり、使い勝手が良い。従って、画面の小さなディスプレイであり、振動が生じるような車両内で使用する場合であったとしても、簡単に操作を行なうことができる。
【００１３】
また、上記操作システム（２）によれば、選択対象部のところにだけジャンプするように移動していくポインタを操作するのか、あるいは従来のようにディスプレイの画面全体を自由に移動させることのできるマウスポインタを操作するのかを使用者が自由に選択することができる。
【００１５】
さらに、上記操作システム（２）によれば、選択対象部のところにだけジャンプするように移動していくポインタを操作するのか、あるいは従来のようにディスプレイの画面全体を自由に移動させることのできるマウスポインタを操作するのかを車速情報に基づいて自動的に切り替わるようにすることができるので、例えば、車両走行中には常に前者操作となるように設定しておくことが可能となる。
【００２４】
【発明の実施の形態】
以下、本発明に係る操作システムの実施の形態を図面に基づいて説明する。
図１は、実施の形態に係る操作システム（１）の要部を概略的に示したブロック図である。図中１０は、ＷＷＷ閲覧装置の本体部を示しており、本体部１０は第１の機能１１と第１のポインタ制御手段１２とを含んで構成され、第１のポインタ制御手段１２は第１の機能１１に接続されている。また、ポインタを移動させるための第１の移動入力手段１４とポイントされているリンク部を選択するための第１の選択入力手段１５とを含んで構成されている入力部１３は、第１のポインタ制御手段１２に接続されている。
【００２５】
第１の機能１１は、インターネット上の別のページ（リンク先）にアクセスすることのできるページ上の文字やグラフィックス（リンク部）が選択されると、選択されたリンク部に定義されているリンク先にアクセスするものであり、第１のポインタ制御手段１２は、ポインタをリンク部のところにだけ移動させるように制御するものである。
【００２６】
実施の形態に係る操作システム（１）を図２に示したホームページの変化に基づいて説明する。図２は、「日本の主要都市」を紹介するホームページであり、第１のポインタ制御手段１２の制御によって、リンク部のところにだけポインタが移動するようになっており、ポイントされているリンク部にはマークＭが施されている。リンク部としては「SAPPORO 、TOKYO 、KYOTO 、OSAKA 、FUKUOKA 」があり、これらリンク部にはそれぞれの都市を紹介するリンク先が定義されている。
【００２７】
ページ１６ａ、１６ｂには主要都市が記された日本の略図が表示されており、ページ１６ａには「KYOTO 」にマークＭが施されており、ページ１６ｂには「TOKYO 」にマークＭが施されている。ページ１６ａの状態から、第１の移動入力手段１４により「右」操作が行なわれると、マークＭ（ポインタ）の位置、すなわちポイントされる都市が「TOKYO 」に移動する。
【００２８】
さらに、ページ１６ｂの状態から、第１の選択入力手段１５によりオン操作が行なわれると、第１の機能１１によってリンク部「TOKYO 」に定義されているリンク先にアクセスされ、ページ１６ｃの状態となり東京が紹介される。
【００２９】
上記実施の形態に係る操作システム（１）によれば、選択対象部、すなわちリンク部のところにだけ、ポインタがジャンプするように移動するので、関係のないところ（リンク部以外）にポインタが移動することがなく、使用者にとってポインタの認識が容易となり、使い勝手が良い。従って、画面の小さなディスプレイであり、振動が生じるような車両内で使用する場合であったとしても、簡単に操作を行なうことができる。
【００３０】
図３は、実施の形態に係る操作システム（２）の要部を概略的に示したブロック図である。図中２０は、ＷＷＷ閲覧装置の本体部を示しており、本体部２０は第１の機能１１と、第２の機能２１と、第２のポインタ制御手段２２とを含んで構成され、第２のポインタ制御手段２２は第１の機能１１及び第２の機能２１にそれぞれ接続されている。また、ポインタを移動させるための第２の移動入力手段２４と、ポイントされているリンク部、リストボックス、及びリスト中の項目を選択するための第２の選択入力手段２５とを含んで構成されている入力部２３は、第２のポインタ制御手段２２に接続されている。
【００３１】
第２の機能２１は、ページ上のリストボックスが選択されると、選択されたリストボックスのリストを表示し、かつ表示されたリスト中の項目が選択されると、選択された項目に定義されている内容に基づいた制御を行なうものであり、第２のポインタ制御手段２２は、ポインタをリンク部及びリストボックスのところにだけ移動させるように制御するものである。
【００３２】
実施の形態に係る操作システム（２）を図４に示したホームページの変化に基づいて説明する。図４は、「日本の新聞ニュース」を紹介するホームページであり、第２のポインタ制御手段２２の制御によって、リンク部及びリストボックスのところにだけポインタが移動するようになっており、ポイントされているリンク部にはマークＭが施されている。リンク部としては、「朝日新聞、読売新聞、毎日新聞、産経新聞」があり、これらリンク部にはそれぞれの新聞を紹介するリンク先が定義されている。またリストボックスとしては、「日本経済新聞」がある。
【００３３】
ページ２６ａの状態では「朝日新聞」にマークＭが施されており、ページ２６ａの状態から、第２の移動入力手段２４により「下」操作が２回行なわれると、マークＭ（ポインタ）の位置、すなわちポイントされる都市がリストボックスである「日本経済新聞」に移動する。
【００３４】
さらに、ページ２６ｂの状態から、第２の選択入力手段２５によりオン操作が行なわれると、第２の機能２１によってリストボックスのリスト「日経流通新聞、日経金融新聞、日経産業新聞」が表示され、ページ２６ｃの状態となる。この状態から、第２の移動入力手段２４により「下」操作が３回行なわれると、マークＭの位置が「日経産業新聞」に移動し、ページ２６ｄの状態となる。
【００３５】
この状態から、第２の選択入力手段２５によりオン操作が行なわれると、第１の機能１１によって「日経産業新聞」に定義されているリンク先にアクセスされ、日経産業新聞の掲載記事が紹介される（図示せず）。
【００３６】
上記実施の形態に係る操作システム（２）によれば、選択対象部、すなわちリンク部及びリストボックスのところにだけ、ポインタがジャンプするように移動するので、使用者にとってポインタの認識が容易となり、使い勝手が良い。従って、画面の小さなディスプレイであり、振動が生じるような車両内で使用する場合であったとしても、簡単に操作を行なうことができる。
【００３７】
図５は、実施の形態に係る操作システム（３）の要部を概略的に示したブロック図である。図中３０は、ＷＷＷ閲覧装置の本体部を示しており、本体部３０は第１の機能１１と第１のポインタ制御手段１２と第１の稼働制御手段３１とを含んで構成され、第１の稼働制御手段３１は第１のポインタ制御手段１２に接続され、第１のポインタ制御手段１２は第１の機能１１に接続されている。
【００３８】
また、入力部３２はポインタを移動させるための第１の移動入力手段１４と、ポイントされているリンク部を選択するための第１の選択入力手段１５と、第１のポインタ制御手段１２を稼働させるか否かを選択するための稼働選択入力手段３３とを含んで構成され、第１の移動入力手段１４及び第１の選択入力手段１５はそれぞれ第１のポインタ制御手段に接続され、稼働選択入力手段３３は第１の稼働制御手段３１に接続されている。
【００３９】
また、第１の稼働制御手段３１は、稼働選択入力手段３３からの信号に基づいて第１のポインタ制御手段１２の稼働を制御するものであり、その動作については図６に示したフローチャートに基づいて説明する。
【００４０】
まずステップ１において、稼働選択入力手段３３からの信号を取り込んで、次にステップ２において、取り込んだ信号が第１のポインタ制御手段１２を稼働させるように指示する信号（オン信号）であるか否かを判断する。
【００４１】
オン信号であると判断すれば、ステップ３に移って、第１のポインタ制御手段１２を稼働させるように制御し、一方、オン信号であると判断しなければ、ステップ４に移って、第１のポインタ制御手段１２を稼働させないように制御する。上記実施の形態に係る操作システム（３）によれば、選択対象部のところにだけジャンプするように移動していくポインタを操作するのか、あるいは従来のようにディスプレイの画面全体を自由に移動させることのできるポインタを操作するのかを使用者が自由に選択することができる。
【００４２】
図７は、実施の形態に係る操作システム（４）の要部を概略的に示したブロック図である。図中４０は、ＷＷＷ閲覧装置の本体部を示しており、本体部４０は第１の機能１１と第１のポインタ制御手段１２と第２の稼働制御手段４１とを含んで構成され、第２の稼働制御手段４１は第１のポインタ制御手段１２に接続され、第１のポインタ制御手段１２は第１の機能１１に接続されている。
【００４３】
また、入力部１３はポインタを移動させるための第１の移動入力手段１４とポイントされているリンク部を選択するための第１の選択入力手段１５とを含んで構成され、入力部１３は第１のポインタ制御手段１２に接続されている。
【００４４】
また、第２の稼働制御手段４１は車速検出手段４２に接続されており、車速検出手段４２から検出される車速ｖに基づいて第１のポインタ制御手段１２の稼働を制御するものであり、その動作を図８に示したフローチャートに基づいて説明する。但し、ここでは車速ｖが２０km/h以上（緩衝領域として５km/hを設定）となるときに、第１のポインタ制御手段１２が稼働するものとする。
【００４５】
まずステップ１１において、車速検出手段４２より車速ｖを取り込んで、次にステップ１２において、車速ｖが２０km/h以上であるか否かを判断する。２０km/h以上であると判断すれば、ステップ１３に移って、第１のポインタ制御手段１２を稼働させるように制御し、そしてステップ１４に進む。一方、２０km/h未満であると判断すれば、ステップ１１に戻る。
【００４６】
ステップ１４では、車速検出手段４２より車速ｖを取り込んで、次にステップ１５において、車速ｖが１５km/h未満であるか否かを判断する。１５km/h未満であると判断すれば、ステップ１６に進んで、第１のポインタ制御手段１２を稼働させないように制御し、一方、１５km/h以上であると判断すれば、ステップ１４に戻る。
【００４７】
上記実施の形態に係る操作システム（４）によれば、選択対象部のところにだけジャンプするように移動していくポインタを操作するのか、あるいは従来のようにディスプレイの画面全体を自由に移動させることのできるポインタを操作するのかを車速情報に基づいて自動的に切り替わるようにすることができる。
【００４８】
上記実施の形態に係る操作システム（３）又は（４）では、第１のポインタ制御手段１２の稼働を制御する場合について説明しているが、同様にして第２のポインタ制御手段２２の稼働を制御するようにできることは言うまでもない。
【００４９】
図９は、実施の形態に係る操作システム（５）の要部を概略的に示したブロック図である。図中５０は、ＷＷＷ閲覧装置の本体部を示しており、本体部５０は第３の機能５１と切替制御手段５２とを含んで構成され、切替制御手段５２は第３の機能５１に接続されている。また、入力部５３はウインドウを切り替えるための操作部としてボタンが形成されている切替入力手段５４を含んで構成され、入力部５３は切替制御手段５２に接続されている。
【００５０】
第３の機能５１は、ウインドウを切り替えるための選択がなされると、該選択に基づいたウインドウをアクティブにするものであり、切替制御手段５２は、切替入力手段５４のボタンがクリックされる度にウインドウを順次切り替えていくように第３の機能５１を制御するものである。
【００５１】
実施の形態に係る操作システム（５）を図１０に示したホームページの変化に基づいて説明する。図１０に示したページ５５ａ〜５５ｄは、複数のウインドウＷ1 〜Ｗ3 で構成されている。ページ５５ａの状態では、ウインドウＷ1 がアクティブであるが、切替入力手段５４のボタンがクリックされることによって、アクティブなウインドウがＷ2 、Ｗ3 、Ｗ1 と切り替わっていく。
【００５２】
上記実施の形態に係る操作システム（５）によれば、切替入力手段５４の操作部として、ボタンが一つだけ形成されているような場合、前記ボタンをクリックする度にウインドウが順次切り替わっていくようになるので、所望のウインドウがアクティブになるまで前記ボタンをクリックするといった簡単な操作で良く、使い勝手が良い。従って、画面の小さなディスプレイであり、振動が生じるような車両内で使用する場合であったとしても、簡単に操作を行なうことができる。
【００５３】
図１１は、実施の形態に係る操作システム（６）の要部を概略的に示したブロック図である。図中６０は、ＷＷＷ閲覧装置の本体部を示しており、本体部６０は第４の機能６１と操作制御手段６２とを含んで構成され、操作制御手段６２は第４の機能６１に接続されている。また、入力部６３はスクロールバーを選択するための操作部としてボタンが形成されているスクロールバー選択入力手段６４と、操作可能となったスクロールバーをスクロールさせるための第３の移動入力手段６５とを含んで構成され、入力部６３は操作制御手段６２に接続されている。
【００５４】
第４の機能６１は、スクロールバーが操作されると、該操作に従ってウインドウの内容をスクロールするものであり、操作制御手段６２は、スクロールバー選択入力手段６４のボタンがクリックされる度に操作可能となるスクロールバー（ウインドウも含む）を順次切り替えていくように制御するものである。
【００５５】
実施の形態に係る操作システム（６）を図１２に示したホームページの変化に基づいて説明する。図１２に示したページ６６ａ〜６６ｅは、ウインドウＷとその右端及び下端に存在するスクロールバーＳ1 、Ｓ2 とから構成されている。ページ６６ａの状態では、ウインドウＷが操作可能な状態（斜線部）となっているが、スクロールバー選択入力手段６４のボタンがクリックされることによって、操作可能となるものがスクロールバーＳ1 と切り替わる（ページ６６ｂ）。さらにクリックされることによって、操作可能なものがスクロールバーＳ2 （ページ６６ｃ）、そしてウインドウＷへと切り替わっていく（ページ６６ｄ）。
【００５６】
スクロールバーＳ2 が操作可能となったページ６６ｃの状態から、第３の移動入力手段６５の「右」操作を行なうことによって、ウインドウＷの内容が右へスクロールされ、ページ６６ｅの状態となる。
【００５７】
上記実施の形態に係る操作システム（６）によれば、所望のスクロールバーだけを操作可能とすることによって、簡単にウインドウＷの内容をスクロールさせることができるようになるので、従来のように、スクロールバーに形成されている矢印ボタンをクリックしたり、四角形のつまみをドラッグしたりといった細かな操作をしなくても良くなり、使い勝手が良い。従って、画面の小さなディスプレイであり、振動が生じるような車両内で使用する場合であったとしても、簡単に操作を行なうことができる。
【００５８】
また、上記実施の形態（１）〜（６）のいずれかで示した第１の移動入力手段１４、第２の移動入力手段２４、及び第３の移動入力手段６５等として、従来から使用されているマウスを用いることができることは言うまでもない。
【図面の簡単な説明】
【図１】本発明の実施の形態に係る操作システム（１）の要部を概略的に示したブロック図である。
【図２】ホームページの変化を示した概略図である。
【図３】実施の形態に係る操作システム（２）の要部を概略的に示したブロック図である。
【図４】ホームページの変化を示した概略図である。
【図５】実施の形態に係る操作システム（３）の要部を概略的に示したブロック図である。
【図６】実施の形態に係る操作システム（３）における第１の稼働制御手段の動作を示したフローチャートである。
【図７】実施の形態に係る操作システム（４）の要部を概略的に示したブロック図である。
【図８】実施の形態に係る操作システム（４）における第２の稼働制御手段の動作を示したフローチャートである。
【図９】実施の形態に係る操作システム（５）の要部を概略的に示したブロック図である。
【図１０】ホームページの変化を示した概略図である。
【図１１】実施の形態に係る操作システム（６）の要部を概略的に示したブロック図である。
【図１２】ホームページの変化を示した概略図である。
【図１３】従来のＷＷＷ閲覧装置の要部を概略的に示したブロック図である。
【符号の説明】
１  ＷＷＷ閲覧装置
２、１０、２０、３０、４０、５０、６０  本体部
３  ディスプレイ
４  マウス
４ａ  ボタン
５  モデム
６  電話回線
１３、２３、３２、５３、６３  入力部
【図１】
0004073071.tif 000002
【図２】
0004073071.tif 000003
【図３】
0004073071.tif 000004
【図４】
0004073071.tif 000005
【図５】
0004073071.tif 000006
【図６】
0004073071.tif 000007
【図７】
0004073071.tif 000008
【図８】
0004073071.tif 000009
【図９】
0004073071.tif 000010
【図１０】
0004073071.tif 000011
【図１１】
0004073071.tif 000012
【図１２】
0004073071.tif 000013
【図１３】
0004073071.tif 000014